(57)【要約】      （修正有）【課題】前傾姿勢作業において腰や足などにかかる負担を軽減し、しかも、台本体の前方縁部に固定しない簡単な構造の前傾作業用補助具を提供する。【解決手段】前傾作業用補助具１は、身体の腹部ないしは胸部の適宜範囲を当てる身体当て面１１と、前記身体当て面１１の反対側に位置し、かつ、台本体の前方縁部に当てる台当て面１２とを有する補助具本体１０を備える。さらに、前記補助具本体１０を身体に装着するための装着用ベルト２０を備える。【選択図】図１
0003198429.tif 000002
【実用新案登録請求の範囲】
【請求項１】
身体の腹部ないしは胸部の適宜範囲を当てる身体当て面と、前記身体当て面の反対側に位置し、かつ、台本体の前方縁部に当てる台当て面とを有する補助具本体と、
前記補助具本体を身体に装着するための装着用ベルトと、
を備えたことを特徴とする前傾作業用補助具。
【請求項２】
前記補助具本体は、前記台本体の前方縁部を当てるための縁部用溝部を前記台当て面に備えたことを特徴とする請求項１に記載の前傾作業用補助具。
【請求項３】
前記縁部用溝部は、その長手方向の両端の溝深さを他の範囲より浅く形成した請求項２に記載の前傾作業用補助具。
【請求項４】
前記補助具本体は、前記台当て面の側縁部において、取り付ける装着用ベルトによって引っ張られる方向とほぼ同じ方向に向けて傾斜する傾斜面と、前記傾斜面に前記装着用ベルトを着脱可能に取り付けるためのベルト取付部と、を設けたことを特徴とする請求項１，２又は３に記載の前傾作業用補助具。
【請求項５】
前記補助具本体は、気体又は液体を密封可能な中空体であることを特徴とする請求項１，２，３又は４に記載の前傾作業用補助具。
【請求項６】
身体の腹部ないしは胸部の適宜範囲を当てる身体当て面と、前記身体当て面の反対側に位置し、かつ、台本体の前方縁部に当てる台当て面とを有する補助具本体と、
前記補助具本体を前記台本体の前方縁部に着脱可能に取り付けるための補助具取付部と、
を備えたことを特徴とする前傾作業用補助具。
【請求項７】
前記補助具取付部は、前記台本体の前方縁部を上から挟み込んで保持する挟持部を備え、
前記補助具本体は、前記挟持部を収納可能な挟持部収納溝部と、前記挟持部収納溝部に収納した挟持部を移動可能に支持する弾性部材と、を備えたことを特徴とする請求項６に記載の前傾作業用補助具。
【請求項８】
前記補助具取付部は、前記台本体の前方縁部を上から挟み込んで保持する挟持部を備え、
前記補助具本体は、前記挟持部を収納可能な挟持部収納溝部を備え、
前記挟持部収納溝部に収納した補助具取付部が、前記挟持部にて前記台本体の前方縁部を上から挟み込んで保持した状態において、前記補助具本体と係合して支持する係合支持機構を備えたことを特徴とする請求項６に記載の前傾作業用補助具。
【請求項９】
前記係合支持機構は、前記補助具取付部に、左右方向に突出するよう形成した係合突出部材と、前記補助具本体の挟持部収納溝部に、前記係合突出部材を収納し、かつ前記係合突出部材と係合する係合部を形成した空洞凹部と、を備えたことを特徴とする請求項８に記載の前傾作業用補助具。
【請求項１０】
前記係合支持機構は、前記補助具本体の挟持部収納溝部に、左右方向に突出するよう形成した係合シャフトと、前記補助具取付部に、前記係合シャフトを通過可能で、かつ前記係合シャフトと係合する係合部を形成した空洞孔部と、を備えたことを特徴とする請求項８に記載の前傾作業用補助具。
【考案の詳細な説明】
【技術分野】
【０００１】
本考案は、洗顔や洗髪などのように身体を前傾する作業の際に、腰や足などにかかる負担を軽減するための前傾作業用補助具を提供する技術に関する。
【背景技術】
【０００２】
従来から、洗顔、洗髪あるいは食器洗いをする場合は前傾姿勢となるので、腰や首、あるいは足にも負担がかかる。特に、腰痛の病気を抱えている人や年配者にとって大きな負担になる。そこで、特許文献１や特許文献２では、前傾姿勢によってかかる荷重を軽減するために工夫されている。
【０００３】
特許文献１では、前傾姿勢時の体重を支持する支持具を、洗面化粧台の前面側に回動可能に取り付けている。使用しない時は畳んでおく。使用する時は、前記支持具を回動し、支持具の手前の横棒部分を身体の前面の適当な位置にあてがい、身体を前傾しながら前方に体重をかけてゆく。これによって、体重が足先の一点だけでなく、支持具を加えた二点支持となって分散されて軽減される。身体の左右方向のふらつきを軽減して姿勢を安定させる。腰に対する負担も軽減する。
【０００４】
特許文献２では、流し台の台本体部から上方に立ち上がりユーザの上半身を支える上半身支持部を備えている。上半身支持部によって胸部やひじ部などを支持することでユーザの上半身を支持することができ、ユーザの腰部への負担を軽減することができるとしている。
【先行技術文献】
【特許文献】
【０００５】
【特許文献１】特開２００１−１２０４４７号公報
【特許文献２】特開２０１１−４１６０２号公報
【考案の概要】
【考案が解決しようとする課題】
【０００６】
特許文献１では、使用者はバランスを取りながら支持具の手前の横棒部分に体重をかけてゆくので、特に腰痛などの病気を抱えている人にとって、慣れるまでに時間がかかる。また、支持具は上下方向に回動するように取り付けられていることから、体重のかけ方よっては身体が支持具から少しでも離れると、支持具が自重で下方へ回動してしまう可能性がある。
【０００７】
また、前傾姿勢での作業の場合は、その傾く角度が水平に近づくほど、腰に負担がかかるので、上半身の体重を下方から受けて支持する必要がある。しかし、洗面化粧台の前面に取り付けた支持具は、上半身の体重を下方から支持することはできない。
【０００８】
加えて、支持具を使用しない場合は、洗面化粧台の前面側に畳んで収納するため見栄えがよくなかった。さらに、支持具は、洗面化粧台の前面側にある引き出しや開き扉の邪魔にならない位置に設置する必要があるので、支持具の形状に一定の制約があった。
【０００９】
一方、洗面化粧台後方の壁に取り付けた支持具は、洗面化粧台の上面にて支持されるので、上半身を下方から支持することはできる。しかし、支持具を使用しない場合は、洗面化粧台後方側に畳んで収納するため、洗面化粧台後方の鏡面に干渉しないように形成する必要があり、やはり支持具の形状が制約されるという課題があった。
【００１０】
特許文献２では、上半身支持部が流し台の台本体部の上面に固定されているので、通常の前傾姿勢を取らない作業では、上半身支持部が邪魔になる場合がある。したがって、上半身支持部を備えた流し台は、特殊仕様の流し台となることが否めない。
【００１１】
なお、腰痛は、腰に痛みや炎症などを感じる状態であって、日本では８割以上の人が生涯において経験するようであるが、その多くは原因が特定されていない。一般的に、腰痛対策としては、安静、投薬、コルセット装着などの対症療法が取られている。しかし、日常生活では、洗顔や洗髪、あるいは食器洗いなどのように前傾姿勢をとる作業が多く行われる。上記の対症療法があるとしても、前傾姿勢の作業は腰や足に負担をかけるので、腰痛を抱えている人や高齢者にとって腰痛対策は切に望まれている。
【００１２】
本考案はこのような事情に鑑みてなされたものであって、前傾姿勢をとる作業において腰や足などにかかる負担を軽減し、しかも、台本体の前方縁部に固定しない簡単な構造の前傾作業用補助具を提供することを目的とする。
【課題を解決するための手段】
【００１３】
請求項１記載の考案は、身体の腹部ないしは胸部の適宜範囲を当てる身体当て面と、前記身体当て面の反対側に位置し、かつ、台本体の前方縁部に当てる台当て面とを有する補助具本体と、
前記補助具本体を身体に装着するための装着用ベルトと、を備えたことを特徴としている。
【００１４】
請求項２記載の考案は、前記補助具本体は、前記台本体の前方縁部を当てるための縁部用溝部を前記台当て面に備えたことを特徴としている。
【００１５】
請求項３記載の考案は、前記縁部用溝部は、その長手方向の両端の溝深さを他の範囲より浅く形成したことを特徴としている。
【００１６】
請求項４記載の考案は、前記補助具本体は、前記台当て面の側縁部において、取り付ける装着用ベルトによって引っ張られる方向とほぼ同じ方向に向けて傾斜する傾斜面と、前記傾斜面に前記装着用ベルトを着脱可能に取り付けるためのベルト取付部と、を設けたことを特徴としている。
【００１７】
請求項５記載の考案は、前記補助具本体は、気体又は液体を密封可能な中空体であることを特徴としている。
【００１８】
請求項６記載の考案は、身体の腹部ないしは胸部の適宜範囲を当てる身体当て面と、前記身体当て面の反対側に位置し、かつ、台本体の前方縁部に当てる台当て面とを有する補助具本体と、
前記補助具本体を前記台本体の前方縁部に着脱可能に取り付けるための補助具取付部と、を備えたことを特徴としている。
【００１９】
請求項７記載の考案は、前記補助具取付部は、前記台本体の前方縁部を上から挟み込んで保持する挟持部を備え、  前記補助具本体は、前記挟持部を収納可能な挟持部収納溝部と、前記挟持部収納溝部に収納した挟持部を移動可能に支持する弾性部材と、を備えたことを特徴としている。
【００２０】
請求項８記載の考案は、前記補助具取付部は、前記台本体の前方縁部を上から挟み込んで保持する挟持部を備え、  前記補助具本体は、前記挟持部を収納可能な挟持部収納溝部を備える。さらに、前記挟持部収納溝部に収納した補助具取付部が、前記挟持部にて前記台本体の前方縁部を上から挟み込んで保持した状態において、前記補助具本体と係合して支持する係合支持機構を備えたことを特徴としている。
【００２１】
請求項９記載の考案は、前記係合支持機構は、前記補助具取付部に、左右方向に突出するよう形成した係合突出部材と、前記補助具本体の挟持部収納溝部に、前記係合突出部材を収納し、かつ前記係合突出部材と係合する係合部を形成した空洞凹部と、を備えたことを特徴としている。
【００２２】
請求項１０記載の考案は、前記係合支持機構は、前記補助具本体の挟持部収納溝部に、左右方向に突出するよう形成した係合シャフトと、前記補助具取付部に、前記係合シャフトを通過可能で、かつ前記係合シャフトと係合する係合部を形成した空洞孔部と、を備えたことを特徴としている。
【考案の効果】
【００２３】
本考案によれば、前傾作業用補助具を身体に装着する際、補助具本体の身体当て面を、身体の腹部ないしは胸部の適宜位置に当て、装着用ベルトを身体に巻いて装着する。実際に、例えば洗面台にて洗顔する際には、洗面台の台本体の前方縁部に補助具本体の台当て面を当てるように前傾姿勢を取り、補助具本体の身体当て面に上半身の体重をかける。上半身の体重は、身体当て面から台当て面を経て台本体の前方縁部にて支持されるので、腰や足への負担を軽減することができる。しかも、台本体の前方縁部に固定しないので、通常の台本体を使用時に邪魔になることや、見栄えを悪くすることを避けられる。
上半身は、台本体の前方縁部に比べて広い面積の身体当て面で支持されるので、上半身へかかる荷重が分散されることで、上半身への負担を軽減することができる。
【００２４】
また、補助具本体が台当て面に縁部用溝部を備えている場合、前記縁部用溝部を台本体の前方縁部に当てることで、補助具本体が台本体の前方縁部を滑らないように、つまり、補助具本体がずれにくくなる。その結果、上半身の体重を補助具本体にかけるときの前傾姿勢が安定するので、よりいっそう腰や足への負担を軽減することができる。
【００２５】
また、補助具本体における台当て面の側縁部に傾斜面を形成し、その傾斜面にベルト取付部を設けたので、身体に巻いた装着用ベルトを前記ベルト取付部に簡単に取り付けることができる。この時、装着用ベルトにかかる引っ張り荷重は、前記ベルト取付部の傾斜面の方向とほぼ同じ方向に沿っているので、補助具本体を身体にフィットするように装着することができる。
【００２６】
また、補助具本体が気体又は液体を密封可能な中空体である場合、補助具本体をコンパクトにすることができるので、持ち運びが容易である。
【００２７】
前傾作業用補助具が、補助具本体と補助具取付部とを備えている場合、補助具取付部によって、補助具本体を前記台本体の前方縁部に着脱可能に簡単に取り付けることができる。したがって、例えば洗顔する場合、前傾作業用補助具を台本体の前方縁部に取り付けてから、前傾姿勢をとって補助具本体の身体当て面に上半身の体重をかけることができる。この前傾作業用補助具の場合も、前述の前傾作業用補助具と同様の効果を奏する。
【００２８】
補助具本体は、挟持部にて台本体の前方縁部を上から挟み込んで保持することで台本体の前方縁部に簡単に取り付けることができる。上半身の体重を補助具本体の身体当て面にかける時に、補助具本体の角度が変わるが、挟持部の位置はほとんど変化しない。挟持部収納溝部に収納した挟持部及び補助具本体は、弾性部材によって移動可能に互いに支持されるので、弾性部材が伸びて支持した状態を維持することができる。つまり、補助具本体は、上半身の前傾姿勢の角度変化に容易に追従することができる。
【００２９】
また、係合支持機構を備えた場合、挟持部収納溝部に収納した挟持部を台本体の前方縁部に取り付けると、補助具本体は前記係合支持機構によって挟持部に対して移動可能に支持することができる。
前記係合支持機構が、係合突出部材と、係合部を形成した空洞凹部とを備えた場合、前傾作業時は、前記係合突出部材が係合部から相対的に離れて空洞凹部内で相対的にフリーの状態となるので、補助具本体は、上半身の前傾姿勢の角度変化に容易に追従することができる。
前記係合支持機構が、係合シャフトと、係合部を形成した空洞孔部とを備えた場合、前傾作業時は、前記係合シャフトが係合部から相対的に離れて空洞孔部内で相対的にフリーの状態となるので、補助具本体は、上半身の前傾姿勢の角度変化に容易に追従することができる。
【図面の簡単な説明】
【００３０】
【図１】本考案に係る第一の実施形態の前傾作業用補助具を示す斜視図である。
【図２】図１の前傾作業用補助具の要部を詳しく示す斜視図である。
【図３】図１の前傾作業用補助具を使用する状態を示す斜視図である。
【図４】第二の実施形態の前傾作業用補助具を示す斜視図である。
【図５】第三の実施形態の前傾作業用補助具を示す斜視図である。
【図６】図５の前傾作業用補助具を使用する状態を示す断面図である。
【図７】図５の前傾作業用補助具を使用する状態を示す断面図である。
【図８】第四の実施形態の前傾作業用補助具を示す斜視図である。
【図９】図８の前傾作業用補助具における挟持部収納溝部を示す断面図である。
【図１０】第五の実施形態の前傾作業用補助具を使用する状態を示す断面図である。
【図１１】図１０の前傾作業用補助具を使用する状態を示す断面図である。
【図１２】第六の実施形態の前傾作業用補助具を示す斜視図である。
【図１３】図１２の前傾作業用補助具を使用する状態を示す断面図である。
【図１４】図１２の前傾作業用補助具を使用する状態を示す断面図である。
【図１５】第七の実施形態の前傾作業用補助具を示す斜視図である。
【図１６】図１５の前傾作業用補助具を使用する状態を示す断面図である。
【図１７】図１５の前傾作業用補助具を使用する状態を示す断面図である。
【考案を実施するための形態】
【００３１】
以下、本考案の第一の実施形態に係る前傾作業用補助具について図面を参照して説明する。図１は前傾作業用補助具１の全体を示している。図２は、前傾作業用補助具１の補助具本体１０を詳しく示す。
【００３２】
前傾作業用補助具１は、補助具本体１０と装着用ベルト２０を備えている。
補助具本体１０は、本実施形態では、ほぼ直方体の形状である。基本的には、前傾作業用補助具１を装着する人の腹部ないしは胸部の適宜範囲を当てる身体当て面１１と、前記身体当て面１１の反対側に位置して例えば図３に示すような洗面台７０の台本体７１の前方縁部７２に当てる台当て面１２とを有する。
補助具本体１０は、人の上半身の体重をかけても受けられる適度の剛性を備えた材料を用いており、例えば発泡合成樹脂は軽量であって成形しやすいものである。身体当て面１１は、身体に合わせた面形状にすることができる。
【００３３】
台当て面１２には、台本体７１の前方縁部７２を当てるための縁部用溝部１３を備えることができる。縁部用溝部１３は、図１及び図２に示すように、身体に装着した補助具本体１０において台当て面１２の上下方向のほぼ中央に位置して横方向（左右方向）に幅全長に亘って設けることが望ましい。これによって、縁部用溝部１３が台本体７１の前方縁部７２に係合し、補助具本体１０が台本体７１の前方縁部７２を滑らないようにすることができる。
【００３４】
縁部用溝部１３は、図３に示すように、台本体７１の前方縁部７２の形状に合わせることができる。例えば、台本体７１の前方縁部７２が直線状ではなく円弧形状であるなら、縁部用溝部１３を前方縁部７２と同じ円弧形状にして嵌め合って係合するように形成する。
【００３５】
また、縁部用溝部１３は、その長手方向の両端の溝深さを他の範囲より浅く形成することが望ましい。換言すれば、縁部用溝部１３の溝深さは、縁部用溝部１３の長手方向のほぼ中央に向けて徐々に深く形成する。その理由は、身体の上半身の体重によって補助具本体１０が押圧される時に、縁部用溝部１３の長手方向の両端で台本体７１の前方縁部７２に対して二点接触となることで、さらに安定した状態で係合して位置ズレを防止できるからである。
なお、縁部用溝部１３は、図１及び図２に示すように、後述するベルト取付部１４の位置と上下方向でずらした位置に形成している。
【００３６】
洗面台７０は、内部に小物を収容するための収納ボックスを備えた台本体７１と、台本体７１の上面に、水を溜めたり流したりする凹状のボール部７３と、ボール部７３の後方側に配置した水栓７４とを有している。人はボール部７３の前方側に立ち、洗顔や洗髪を行う。本実施形態では、洗面台７０や流し台のように水を流すための台本体７１の前方側にある縁部７２を「前方縁部」という。
【００３７】
装着用ベルト２０は、本実施形態では布製であって、図１に示すように、その一端は補助具本体１０の側面に固定されており、他端側は台当て面１２の側縁部１２ａに着脱可能となっている。本実施形態の装着用ベルト２０は、本体ベルト２１と補助ベルト２２を長さ調整可能に一体化するように連結構成されている。すなわち、装着用ベルト２０は、補助ベルト２２の一端が補助具本体１０の側面に例えば縫付けて固定され、補助ベルト２２の他端側が本体ベルト２１の一端側に例えば面ファスナーなどの長さ調整用連結具２３によって連結位置を調整可能に連結されている。さらに、本体ベルト２１の他端側が台当て面１２の側縁部１２ａに着脱可能となっている。
【００３８】
補助具本体１０は、台当て面１２の側縁部１２ａに、本体ベルト２１の他端側を着脱可能に取り付けるためのベルト取付部１４を形成している。前記ベルト取付部１４は、取り付ける装着用ベルト２０によって引っ張られる方向とほぼ同じ方向に向けて傾斜する傾斜面１５と、傾斜面１５に前記装着用ベルト２０を着脱可能に取り付けるための例えば面ファスナーなどの連結具１６を備えている。
なお、前記傾斜面１５は、身体に巻かれる装着用ベルト２０の全体形状がほぼ円形状であるので、補助具本体１０と連結するベルト取付部１４も円弧形状に沿って連結するように考慮した。したがって、傾斜面１５は平面に限定されず、例えば外側に膨らむ湾曲面などのように他の面形状であってもよい。
【００３９】
次に、第一の実施形態の前傾作業用補助具１の作用について説明する。
前傾作業用補助具１は、図３に示すように、前傾作業用補助具１を身体に装着して用いられる。前傾作業用補助具１を身体に装着する際、補助具本体１０の身体当て面１１を、身体の腹部ないしは胸部の適宜位置に当ててから、装着用ベルト２０を身体に巻いて装着する。
装着用ベルト２０の長さは、面ファスナーなどの長さ調整用連結具２３によって本体ベルト２１と補助ベルト２２の連結位置を調整することで、予め身体に合わせておくことができる。
【００４０】
上記のように補助具本体１０の身体当て面１１を身体に当ててから、本体ベルト２１の他端側を補助具本体１０の台当て面１２の側縁部１２ａに設けたベルト取付部１４に、面ファスナーなどの連結具１６で連結する。この時、ベルト取付部１４は台当て面１２の側縁部１２ａに形成した傾斜面１５に設けたので、身体に巻いた装着用ベルト２０をベルト取付部１４に簡単に取り付けることができる。また、装着用ベルト２０にかかる引っ張り荷重は、前記ベルト取付部１４の傾斜面１５の方向とほぼ同じ方向に沿っているので、補助具本体１０を身体にフィットするように装着することができる。
【００４１】
実際に、例えば洗面台７０にて洗顔する際には、図３に示すように、洗面台７０の台本体７１の前方縁部７２に補助具本体１０の台当て面１２を当てるように前傾姿勢を取り、補助具本体１０の身体当て面１１に上半身の体重をかける。上半身の体重は、身体当て面１１から台当て面１２を経て台本体７１の前方縁部７２にて支持されるので、腰や足への負担を軽減することができる。しかも、台本体７１の前方縁部７２に固定しないので、通常の台本体７１の使用時に邪魔になることや、見栄えを悪くすることを避けられる。
また、上半身は、台本体７１の前方縁部７２に比べて、広い面積を有する身体当て面１１で支持されるので、上半身にかかる荷重が分散され、上半身への負担を軽減することができる。
【００４２】
また、前傾姿勢で作業する際に、台当て面１２に備えた縁部用溝部１３を台本体７１の前方縁部７２に当てることで、補助具本体１０が台本体７１の前方縁部７２を滑らないように、つまり、補助具本体１０がずれにくくなる。その結果、上半身の体重を補助具本体１０にかけるときの前傾姿勢が安定するので、よりいっそう腰や足への負担を軽減することができる。
【００４３】
次に、第二の実施形態に係る前傾作業用補助具２について図面を参照して説明する。特に、第一の実施形態の前傾作業用補助具１と異なる点について説明し、第一の実施形態と同様の箇所は同符号を付して詳しい説明は省略する。
【００４４】
第二の実施形態の前傾作業用補助具２は、図４に示すように、補助具本体１０ａと装着用ベルト２０を備えている。
補助具本体１０ａは、空気などの気体、又は水などの液体を密封可能な中空体とすることができる。例えば、補助具本体１０ａは柔軟性と気密性を有する袋体とし、その袋体の側面には気体又は液体を注入するための注入弁１７を設ける。
装着用ベルト２０は、補助具本体１０ａの側面に取り付けられるもので、前述の第一の実施形態とほぼ同様である。
【００４５】
前傾作業用補助具２は、使用しない時、注入弁１７から例えば空気を放出させて補助具本体１０ａをコンパクトに折り畳むことができるので、持ち運びが容易である。運搬や旅行時の携帯に便利である。
【００４６】
なお、前述の各実施形態の前傾作業用補助具１，２において、装着用ベルト２０は、全部もしくは一部にゴムベルトのように伸縮可能なベルトを用いるなら、補助具本体１０，１０ａをよりいっそう身体にフィットさせることができる。
【００４７】
前述の第一の実施形態では、装着用ベルト２０を補助具本体１０に取り付けるためのベルト取付部１４は、連結具１６として面ファスナーを例にとって説明したが、これに限定されず、例えばスナップ止め、ボタン止め、ベルト調整可能な市販の掛け具、あるいはその他の形態の連結具を用いることができる。
【００４８】
次に、本考案の第三の実施形態に係る前傾作業用補助具３について図面を参照して説明する。特に、第一の実施形態の前傾作業用補助具１と異なる点について説明し、第一の実施形態と同様の箇所は同符号を付して詳しい説明は省略する。図５は前傾作業用補助具３の全体を示している。図６及び図７は、前傾作業用補助具３の動作を示す。
【００４９】
第三の実施形態の前傾作業用補助具３は、図５に示すように、補助具本体３０と補助具取付部４０を備えている。第一の実施形態と大きく異なる点は、補助具本体３０を身体に装着せず、台本体７１の前方縁部７２に着脱可能に取り付けることである。
補助具本体３０は、本実施形態では、ほぼ直方体の形状であり、発泡合成樹脂を材料として使用しているが、これに限定されない。基本的には、第一の実施形態と同様であり、身体当て面３１と台当て面３２とを有する。
【００５０】
補助具取付部４０は、補助具本体３０の台当て面３２の側と当接するので、補助具本体３０との関わりを説明するために、補助具取付部４０について詳しく説明する。
補助具取付部４０は、台本体７１の前方縁部７２を上から挟み込んで保持する挟持部４１を備える。挟持部４１は、台本体７１の前方縁部７２を挟み込んで保持した際に上下方向に長く延びる形状の挟持部本体４２と、挟持部本体４２の上部から台本体７１の前方縁部７２に向けて突出する上アーム４３と、挟持部本体４２の下部から台本体７１の前方縁部７２に向けて突出する下アーム４４とを備えている。
【００５１】
挟持部本体４２は、本実施形態では、台本体７１の前方縁部７２を挟み込んで保持した時に下部側を重くするために、下部を底辺とするほぼ三角形状をなす樹脂製の板状に形成している。なお、挟持部本体４２の材質としては、例えば樹脂が好適に利用可能であるが、勿論、これには限定されず金属や他の材料でもよい。
さらに、挟持部本体４２は、上部から上方に突出する上フック４７と、下部から下方に突出する下フック４８とを設け、これらのフックを利用して後述する弾性部材を取り付ける。
【００５２】
上アーム４３の先端には、台本体７１の前方縁部７２を挟み込むための球状の上側把持部４５が固定されている。一方、下アーム４４の先端には、台本体７１の前方縁部７２を挟み込むための球状の下側把持部４６が固定されている。
【００５３】
上記の挟持部４１を踏まえて、再び補助具本体３０について説明する。
補助具本体３０は、図５に示すように、上記の挟持部４１を収納可能な挟持部収納溝部３３が、台当て面３２に、細幅で補助具本体３０の上下方向に長く延びる形状で、かつ、挟持部４１のほぼ三角形状に対して余裕を持って収納可能に奥側に向けて深く形成されている。
【００５４】
さらに、挟持部収納溝部３３に収納した挟持部４１は、弾性部材によって移動可能に支持される。弾性部材としては、ゴムバンドや引張コイルバネなどを用いる。図５では、挟持部４１を上から支持する上タテバネ３７ａと、挟持部４１を下から支持する下タテバネ３７ｂを弾性部材として用いている。補助具本体３０は、上フック３４を上部に設け、下フック３５を下部に設けている。さらに、補助具本体３０は、上フック３４の下側に、上タテバネ３７ａを通過させるための通過穴部３６ａを形成しており、下フック３５の上側に、下タテバネ３７ｂを通過させるための通過穴部３６ｂを形成している。
【００５５】
挟持部収納溝部３３に収納した挟持部４１は、図５の実線で示すように、上側において上フック３４と上フック４７に連結した上タテバネ３７ａによって支持され、下側において下フック３５と下フック４８に連結した下タテバネ３７ｂによって支持される。
【００５６】
次に、第三の実施形態の前傾作業用補助具３の作用について説明する。
前傾作業用補助具３は、図５の二点鎖線で示すように、挟持部４１を挟持部収納溝部３３から外へ引っ張り出すと、上タテバネ３７ａと下タテバネ３７ｂは図５の二点鎖線で示すように伸びる。図６に示すように、台本体７１の前方縁部７２を上から挟持部４１における上アーム４３の上側把持部４５と下アーム４４の下側把持部４６で挟み込むと、補助具本体３０の台当て面３２が台本体７１の前方縁部７２に当たる。この状態で、前傾作業用補助具３が台本体７１の前方縁部７２に取り付けられて保持される。
例えば洗顔する場合、前傾作業用補助具３は、補助具取付部４０によって補助具本体３０を台本体７１の前方縁部７２に着脱可能に簡単に取り付けることができる。
【００５７】
したがって、洗顔する人は、図３と同様に、前傾姿勢をとって補助具本体３０の身体当て面３１に上半身の体重をかけることができる。この時に、上半身がほぼ水平方向に近くなるまで前傾姿勢になるので、図７に示すように、補助具本体３０の角度が変わるが、挟持部４１の位置は変化しない。挟持部収納溝部３３に収納した挟持部４１と補助具本体３０は、上タテバネ３７ａと下タテバネ３７ｂによって移動可能に互いに支持されるので、上タテバネ３７ａと下タテバネ３７ｂが伸びて支持した状態を維持することができる。つまり、補助具本体３０は、上半身の前傾姿勢の角度変化に容易に追従することができる。
なお、第三の実施形態の前傾作業用補助具３の場合も、前述の第一の実施形態の前傾作業用補助具１と同様の効果を奏するので、詳しい説明は省略する。
【００５８】
次に、本考案の第四の実施形態に係る前傾作業用補助具４について図面を参照して説明する。特に、第三の実施形態の前傾作業用補助具３と異なる点について説明し、第三の実施形態と同様の箇所は同符号を付して詳しい説明は省略する。図８は前傾作業用補助具４の全体を示している。図９は、前傾作業用補助具４における挟持部４１とヨコバネ３９の動作を示す。
【００５９】
第四の実施形態の前傾作業用補助具４は、図８に示すように、補助具本体３０ａと補助具取付部４０を備えている。第三の実施形態と大きく異なる点は、挟持部収納溝部３３に収納した挟持部４１を移動可能に支持する弾性部材としてヨコバネ３９を用いていることである。弾性部材としては、ゴムバンドや引張コイルバネが用いられる。
補助具取付部４０は、第三の実施形態とほぼ同様の形状の挟持部４１であり、異なる点は挟持部４１においてヨコバネ３９を通過可能なヨコバネ用貫通孔４９を備えていることである。
【００６０】
補助具本体３０ａは、基本的には、第三の実施形態と同様であり、身体当て面３１と台当て面３２とを有しており、挟持部４１を収納可能な挟持部収納溝部３３は、台当て面３２の側に形成している。異なる点は、ヨコバネ３９を配置するためのヨコバネ用通過穴部３８が、補助具本体３０ａの左右方向に長く延びる形状で、かつ、挟持部収納溝部３３と交差するように形成されている。さらに、ヨコバネ用通過穴部３８の左右の内壁に、左フック３８ａと右フック３８ｂとを設けている。
【００６１】
挟持部収納溝部３３に収納した挟持部４１は、ヨコバネ用貫通孔４９を通過するヨコバネ３９よって支持される。前記ヨコバネ３９は、ヨコバネ用通過穴部３８を左右方向に延びるように、しかも、ヨコバネ用通過穴部３８の下方に位置して左フック３８ａと右フック３８ｂに連結される。したがって、挟持部４１は、図９の実線で示すように、ヨコバネ用通過穴部３８の下方位置で支持される。
【００６２】
次に、第四の実施形態の前傾作業用補助具４の作用について説明する。
前傾作業用補助具４は、図８及び図９に示すように、挟持部４１が直線状に延びるヨコバネ３９によって支持されている。挟持部４１を挟持部収納溝部３３から若干外へ引っ張り出すと、ヨコバネ３９が伸びる。図６と同様にして、台本体７１の前方縁部７２を上から挟持部４１における上アーム４３の上側把持部４５と下アーム４４の下側把持部４６で挟み込むと、補助具本体３０ａの台当て面３２が台本体７１の前方縁部７２に当たる。この状態で、前傾作業用補助具４が台本体７１の前方縁部７２に取り付けられて保持される。
例えば洗顔する場合、前傾作業用補助具４は、補助具取付部４０によって、補助具本体１０を台本体７１の前方縁部７２に着脱可能に簡単に取り付けることができる。
【００６３】
したがって、洗顔する人は、図３と同様に、前傾姿勢をとって補助具本体３０ａの身体当て面３１に上半身の体重をかけることができる。この時に、上半身がほぼ水平方向に近くなるまで前傾姿勢になるので、図７と同様に、補助具本体３０ａの角度が変わるが、挟持部４１の位置は変化しない。挟持部収納溝部３３に収納した挟持部４１と補助具本体３０ａは、ヨコバネ３９によって移動可能に互いに支持されるので、例えば図９の二点鎖線で示すように、ヨコバネ３９が伸びて支持した状態を維持することができる。つまり、補助具本体３０ａは、上半身の前傾姿勢の角度変化に容易に追従することができる。
なお、第四の実施形態の前傾作業用補助具４の場合も、前述の第一の実施形態の前傾作業用補助具１と同様の効果を奏するので、詳しい説明は省略する。
【００６４】
以上の第三及び第四の実施形態における挟持部４１は、洗面台における台本体７１の前方縁部７２を挟み込む際の自由度を向上させるべく、ある程度の弾性を有する軟質の樹脂等の材料を利用して形成しても良い。これによれば、挟持部４１を台本体７１に挟み込む際に挟持する方向に、弾性力が作用することから、補助具３，４全体を確実に台本体７１に取り付けることが可能である。
或いは、挟持部４１における上アーム４３と、下アーム４４とを分割して形成し両者をネジ等によって、挟持部本体４２に対し、位置調整可能に取り付けても良い。この場合は、台本体７１の前方縁部７２の形状や大きさ、使用者の体格に合わせて、上アーム４３並びに下アーム４４の設置位置を微調整すること可能となり、使い勝手の向上に寄与する。
【００６５】
次に、本考案の第五の実施形態に係る前傾作業用補助具５ついて図面を参照して説明する。特に、第三の実施形態の前傾作業用補助具３と異なる点について説明し、第三の実施形態と同様の箇所は同符号を付して詳しい説明は省略する。図１０は前傾作業用補助具５の全体を示している。図１１は、前傾作業用補助具５における挟持部５１とねじりバネ５５の動作を示す。
【００６６】
第五の実施形態の前傾作業用補助具５は、図１０に示すように、補助具本体３０ｂと補助具取付部５０を備えている。第三の実施形態と大きく異なる点は、挟持部収納溝部３３ａに収納した挟持部５１の構造が異なっており、挟持部５１を支持する弾性部材としてねじりバネ５５を用いていることである。
補助具本体３０ｂは、基本的には、第三の実施形態と同様であり、身体当て面３１と台当て面３２とを有しており、挟持部５１を収納する挟持部収納溝部３３ａを台当て面３２の側に形成している。異なる点は、挟持部収納溝部３３ａは挟持部５１の上アーム５２だけを収納する構造である。
【００６７】
挟持部５１は、図１０に示すように、台本体７１の前方縁部７２に向けて突出する上アーム５２と、台本体７１の前方縁部７２に向けて突出する下アーム５６とを備えている。
上アーム５２は、根元側が挟持部収納溝部３３ａの内部に収納されて上下方向に回動可能に支軸５３で支持されている。ねじりバネ５５が支軸５３に卷回され、上アーム５２がねじりバネ５５によって図１０において反時計回り方向に回動するように付勢されている。また、上アーム５２の先端側は湾曲形状であり、補助具本体３０ｂから外に向けて突出し、ネジ機構によって伸縮可能に設けられている。さらに、上アーム５２の先端には台本体７１の前方縁部７２を挟み込むためのローラ５４が回転自在に設けられている。
一方、下アーム５６は、補助具本体３０ｂの台当て面３２の下部に取り付けられ、屈曲形状に形成されており、台本体７１の前方縁部７２に向けて突出している。下アーム５６の先端には台本体７１の前方縁部７２を挟み込むための球状の下側把持部５７が固定されている。
【００６８】
次に、第五の実施形態の前傾作業用補助具５の作用について説明する。
前傾作業用補助具５は、図１０に示すように、台本体７１の前方縁部７２を上から挟持部５１における上アーム５２のローラ５４と下アーム５６の下側把持部５７で挟み込むと、補助具本体３０ｂの台当て面３２が台本体７１の前方縁部７２に当たる。この状態で、前傾作業用補助具５が台本体７１の前方縁部７２に取り付けられて保持される。
例えば洗顔する場合、前傾作業用補助具５は、挟持部５１によって補助具本体３０ｂを台本体７１の前方縁部７２に着脱可能に簡単に取り付けることができる。
【００６９】
したがって、洗顔する人は、図３と同様に、前傾姿勢をとって補助具本体１０の身体当て面３１に上半身の体重をかけることができる。この時に、上半身がほぼ水平方向に近くなるまで前傾姿勢になるので、図１１に示すように、補助具本体３０ｂの角度が変わる。この時、挟持部５１の上アーム５２がねじりバネ５５によって図１１において反時計回り方向に回動するように付勢されているので、先端のローラ５４が台本体７１の前方縁部７２に常時当たる状態となる。
【００７０】
一方、下アーム５６は補助具本体３０ｂに固定されているので、台本体７１の前方縁部７２から離れる。身体の上半身の体重が補助具本体３０ｂにかかっており、台本体７１の前方縁部７２で支持される。前傾姿勢の作業が終了すると、補助具本体３０ｂは図１０の状態に戻ることになる。ここで、ねじりバネ５５については、所定の弾性力を付与することができれば、板バネなどを利用することも可能である。
なお、第五の実施形態の前傾作業用補助具５の場合も、前述の第一の実施形態の前傾作業用補助具１と同様の効果を奏するので、詳しい説明は省略する。
【００７１】
次に、本考案の第六の実施形態に係る前傾作業用補助具６について図面を参照して説明する。特に、第三の実施形態の前傾作業用補助具３と異なる点について説明し、第三の実施形態と同様の箇所は同符号を付して詳しい説明は省略する。図１２は前傾作業用補助具６の全体を示した斜視図である。図１３及び図１４は、前傾作業用補助具６の動作を示す。
【００７２】
第六の実施形態の前傾作業用補助具６は、図１２〜図１４に示すように、補助具本体３０ｃと補助具取付部４０を備えている。第三の実施形態と大きく異なる点は、挟持部収納溝部３３に収納した補助具取付部４０が、挟持部４１にて台本体７１の前方縁部７２を上から挟み込んで保持した状態において、前記補助具本体３０ｃと係合して支持する係合支持機構６０を備えたことである。
また、補助具取付部４０は、第三の実施形態とほぼ同様の形状の挟持部４１であり、異なる点は挟持部４１において係合支持機構６０を構成する部材を備えていることである。
【００７３】
係合支持機構６０は、補助具取付部４０の挟持部本体４２に、挟持部本体４２の上部の表面から左右方向に突出する棒状の係合突出部材６１，６１を備えている。さらに、補助具本体３０ｃの挟持部収納溝部３３の内面には、前記の係合突出部材６１，６１が収納されるとともに、当該係合突出部材６１，６１と係合する空洞凹部６２，６２が挟持部収納溝部３３の左右壁面に形成されている。図１３の状態で、この空洞凹部６２，６２のうち、その端部側の係合部６２ａ，６２ａに係合突出部材６１，６１が係合した状態となっている。
つまり、空洞凹部６２，６２の係合部６２ａ，６２ａは、補助具取付部４０が挟持部４１にて台本体７１の前方縁部７２を上から挟み込んで保持した状態において、挟持部本体４２の係合突出部材６１，６１と接触して、補助具本体３０ｃ全体を支持する構造になっている。
また、空洞凹部６２，６２は、前傾作業時に係合突出部材挟持部収納溝部３３と相対的に干渉しない形状、例えば側面視略台形状となるように、挟持部収納溝部３３の内部を彫り込んで形成され、その彫り込みの深さ寸法は、少なくとも係合突出部材６１，６１の突出長さ分に設定されている。
【００７４】
次に、第六の実施形態の前傾作業用補助具６の作用について説明する。
前傾作業用補助具６は、図１２及び図１３に示すように、補助具取付部４０が補助具本体３０ｃの挟持部収納溝部３３に収納された状態で、挟持部４１の係合突出部材６１は、補助具本体３０ｃの各空洞凹部６２内に位置している。
前傾作業用補助具６は、図１３に示すように、補助具取付部４０の挟持部４１にて台本体７１の前方縁部７２を上から挟み込んで保持した状態では、補助具本体３０ｃの台当て面３２が台本体７１の前方縁部７２に突き当たり、補助具本体３０ｃが自重によって図１３において時計回り方向に移動する。その結果、補助具本体３０ｃは、空洞凹部６２の係合部６２ａが挟持部４１の係合突出部材６１と当接することで、補助具取付部４０を介して台本体７１の前方縁部７２に支持される。
例えば洗顔する場合、前傾作業用補助具６は、挟持部４１によって補助具本体３０ｃを台本体７１の前方縁部７２に着脱可能に簡単に取り付けて使用することができる。
【００７５】
したがって、洗顔する人は、図３と同様に、前傾姿勢をとって補助具本体３０ｃの身体当て面３１に上半身の体重をかけることができる。この時に、上半身がほぼ水平方向に近くなるまで前傾姿勢になるので、図７と同様に、補助具本体３０ｃの角度が変わるが、挟持部４１の位置は変化しない。この時、空洞凹部６２の係合部６２ａは、図１４に示すように、係合突出部材６１から離れ、係合突出部材６１が空洞凹部６２内で相対的にフリーの状態となる。つまり、補助具本体３０ａは、上半身の前傾姿勢の角度変化に容易に追従することができる。
なお、第六の実施形態の前傾作業用補助具６の場合も、前述の第一の実施形態の前傾作業用補助具１と同様の効果を奏するので、詳しい説明は省略する。
【００７６】
次に、本考案の第七の実施形態に係る前傾作業用補助具７について図面を参照して説明する。特に、第六の実施形態の前傾作業用補助具６と異なる点について説明し、第六の実施形態と同様の箇所は、同一の符号を付して詳しい説明は省略する。図１５は前傾作業用補助具７の全体を示している。図１６及び図１７は、前傾作業用補助具７の動作を示す。
【００７７】
第七の実施形態の前傾作業用補助具７は、図１５に示すように、補助具本体３０ｄと補助具取付部４０を備えている。第六の実施形態と大きく異なる点は、係合支持機構６０の構成が異なることである。
【００７８】
係合支持機構６０は、補助具本体３０ｄの挟持部収納溝部３３に、係合シャフト６３を左右方向に向けて突出した状態で収容して構成されている。すなわち、係合シャフト６３は、その両端側を挟持部収納溝部３３の左右の内壁面に埋め込んで支持されている。さらに、補助具取付部４０の挟持部本体４２の上部に、前記の係合シャフト６３を通過可能で、かつ係合シャフト６３と係合する係合部６４ａを有する空洞孔部６４を形成する。
なお、空洞孔部６４の係合部６４ａは、補助具取付部４０が挟持部４１にて台本体７１の前方縁部７２を上から挟み込んで保持した状態において、補助具本体３０ｄの係合シャフト６３と係合する位置に形成している。また、空洞孔部６４は、前傾作業時に係合シャフト６３と相対的に干渉しない形状としている。
【００７９】
次に、第七の実施形態の前傾作業用補助具７の作用について説明する。
前傾作業用補助具７は、図１５及び図１６に示すように、補助具取付部４０が補助具本体３０ｄの挟持部収納溝部３３に収納された状態において、補助具本体３０ｄの挟持部収納溝部３３の係合シャフト６３が挟持部４１の空洞孔部６４を通過している。
前傾作業用補助具７は、図１６に示すように、補助具取付部４０の挟持部４１にて台本体７１の前方縁部７２を上から挟み込んで保持した状態では、補助具本体３０ｄの台当て面３２が台本体７１の前方縁部７２に突き当たり、補助具本体３０ｄが自重によって図１６において時計回り方向に回る。その結果、補助具本体３０ｄは、挟持部収納溝部３３の係合シャフト６３が挟持部４１の空洞孔部６４の係合部６４ａに係合することで、補助具取付部４０を介して台本体７１の前方縁部７２に支持される。
例えば洗顔する場合、前傾作業用補助具６は、挟持部４１によって補助具本体３０ｄを台本体７１の前方縁部７２に着脱可能に簡単に取り付けることができる。
【００８０】
したがって、洗顔する人は、図３と同様に、前傾姿勢をとって補助具本体３０ｄの身体当て面３１に上半身の体重をかけることができる。この時に、上半身がほぼ水平方向に近くなるまで前傾姿勢になるので、図７と同様に、補助具本体３０ｄの角度が変わるが、挟持部４１の位置は変化しない。この時、係合シャフト６３は、図１７に示すように、空洞孔部６４の係合部６４ａから離れ、係合シャフト６３が空洞孔部６４で相対的にフリーの状態となる。つまり、補助具本体３０ａは、上半身の前傾姿勢の角度変化に容易に追従することができる。
なお、第七の実施形態の前傾作業用補助具７の場合も、前述の第一の実施形態の前傾作業用補助具１と同様の効果を奏するので、詳しい説明は省略する。
【産業上の利用可能性】
【００８１】
本考案は、介護・福祉用品の製造、販売およびレンタル業務、健康器具の製造、販売およびレンタル業務、介護・福祉関連業務などにおいて、利用可能性を有する。
【符号の説明】
【００８２】
１  前傾作業用補助具（第一の実施形態）
２  前傾作業用補助具（第二の実施形態）
３  前傾作業用補助具（第三の実施形態）
４  前傾作業用補助具（第四の実施形態）
５  前傾作業用補助具（第五の実施形態）
６  前傾作業用補助具（第六の実施形態）
７  前傾作業用補助具（第七の実施形態）
１０  補助具本体                        １０ａ  補助具本体
１１  身体当て面                        １２  台当て面
１２ａ  側縁部                          １３  縁部用溝部
１４  ベルト取付部                      １５  傾斜面
１６  連結具                            １７  注入弁
２０  装着用ベルト
３０  補助具本体                        ３０ａ  補助具本体
３０ｂ  補助具本体                      ３０ｃ  補助具本体
３０ｄ  補助具本体                      ３１  身体当て面
３２  台当て面                          ３３  挟持部収納溝部
３３ａ  挟持部収納溝部                  ３６ａ  通過穴部
３６ｂ  通過穴部                        ３７ａ  上タテバネ
３７ｂ  下タテバネ                      ３８  ヨコバネ用通過穴部
３９  ヨコバネ
４０  補助具取付部                      ４１  挟持部
４２  挟持部本体                        ４３  上アーム
４４  下アーム                          ４５  上側把持部
４６  下側把持部                        ４９  ヨコバネ用貫通孔
５０  補助具取付部                      ５１  挟持部
５２  上アーム                          ５３  支軸
５４  ローラ                            ５５  ねじりバネ
５６  下アーム                          ５７  下側把持部
６０  係合支持機構                      ６１  係合突出部材
６２  空洞凹部                          ６２ａ  係合部
６３  係合シャフト                      ６４  空洞孔部
６４ａ  係合部
７０  洗面台                            ７１  台本体
７２  前方縁部
【図１】
0003198429.tif 000003
【図２】
0003198429.tif 000004
【図３】
0003198429.tif 000005
【図４】
0003198429.tif 000006
【図５】
0003198429.tif 000007
【図６】
0003198429.tif 000008
【図７】
0003198429.tif 000009
【図８】
0003198429.tif 000010
【図９】
0003198429.tif 000011
【図１０】
0003198429.tif 000012
【図１１】
0003198429.tif 000013
【図１２】
0003198429.tif 000014
【図１３】
0003198429.tif 000015
【図１４】
0003198429.tif 000016
【図１５】
0003198429.tif 000017
【図１６】
0003198429.tif 000018
【図１７】
0003198429.tif 000019